(57)【特許請求の範囲】
【請求項１】
ポンプヘッドであって、
本体（１）を含み、
前記本体（１）の頂部と左側には、それぞれ排水端（１ａ）と進水端（１ｂ）とを有し、
前記進水端（１ｂ）と前記排水端（１ａ）とは、いずれも環状をなし、且つ前記本体（１）の内部に形成される羽根車空間（１ｃ）によって連通され、
前記本体（１）の後側には、前記羽根車空間（１ｃ）と正対する取付口（１ｄ）が設けられ、
前記進水端（１ｂ）には、濾過筒（２）が外装され、
前記濾過筒（２）は、左端が密封して設けられ、右端が開口して設けられ、
前記濾過筒（２）の壁には、貫通するように濾過孔（２ａ）が緊密に分布し、
前記濾過筒（２）における右端の外側壁には、環状つば（２ｂ）が一体成形され、
前記本体（１）の外壁には、前記環状つば（２ｂ）と正対する環状溝（１ｅ）が形成され、
前記環状つば（２ｂ）は、前記環状溝（１ｅ）の内部に位置し、
前記環状溝（１ｅ）の下壁と前記環状つば（２ｂ）との間には、環状ガスケット（３）が挟持固定され、
前記環状ガスケット（２ｂ）の右端面には、少なくとも二つの第一ねじ穴（２ｃ）が形成され、
前記第一ねじ穴（２ｃ）は、前記濾過筒（２）の円周方向に沿って等間隔に分布し、
各前記第一ねじ穴（２ｃ）は、止まり穴であり、
前記環状溝（１ｅ）の下壁には、貫通するように第二ねじ穴（１）ｆが形成され、
前記環状ガスケット（３）には、貫穴が形成され、
前記第一ねじ穴（２ｃ）と、前記第二ねじ穴（１）ｆと貫穴とは、同一数を有し、三者の位置がそれぞれ正対して配置され、
各前記第二ねじ穴（１）ｆの内部には、いずれもスタッドボルト（４）が螺合され、
前記スタッドボルト（４）の一端は、順次に前記第二ねじ穴（１）ｆと前記貫穴とを通り抜けて各前記第一ねじ穴（２ｃ）の内部に螺合される、
ことを特徴とするポンプヘッド。
【請求項２】
前記環状ガスケット（３）の両端面は、それぞれ前記環状溝（１ｅ）の下壁と前記環状つば（２ｂ）の右端面と密着する平面である、
ことを特徴とする請求項１に記載のポンプヘッド。
【請求項３】
前記濾過筒（２）の内側壁には、環状突起肩（２ｄ）が一体成形され、
前記環状突起肩（２ｄ）と前記濾過筒（２）とは、同じ軸線を有し、
前記環状突起肩（２ｄ）は、前記進水端（１ｂ）の左端面に圧着される、
ことを特徴とする請求項２に記載のポンプヘッド。
【請求項４】
前記進水端（１ｂ）の外側壁は、第一錐面（１ｂ１）であり、
前記濾過筒（２）の内側壁には、前記第一錐面（１ｂ１）と対応する第二錐面（２ｅ）を有し、
前記第一錐面（１ｂ１）と前記第二錐面（２ｅ）とは、密着して設けられる、
ことを特徴とする請求項１又は請求項２又は請求項３に記載のポンプヘッド。
【発明の詳細な説明】
【技術分野】
【０００１】
本発明はポンプに関し、具体的には、ポンプヘッドに関する。
【背景技術】
【０００２】
ポンプは、液体を輸送する又は液体を加圧する機械であり、原動機の力学的エネルギー又は他の外部エネルギーを液体に伝達することで、液体のエネルギーを増加させる。ポンプは主に、水、油、酸塩基溶液、乳濁液と液体金属などの液体を輸送することに使用される。
【０００３】
例えば、ＣＮ２０１８１０５４１２３６．４には、濾過スクリーン、進水段、外筒、モータ、減衰リング、中間支持具、機械的密封、耐圧筒、流れ案内盤、羽根車、ガイドベーンと排水段とを含み、水冷手段を採用してモータを冷却し、モータが生じる熱量を、輸送する液体で自然に冷却し連れ去るポンプが開示されている。
【０００４】
上記のポンプは、進水段のところに濾過スクリーンを設けることで、水中の異物がポンプの内部に入ることを回避し、ポンプの寿命を伸ばすとともに、仕事の安定性を向上させる。しかし、濾過スクリーンが複数のボルトによってポンプハウジングと固定して接続されるため、外部にあるボルトは美観に影響する。
【先行技術文献】
【特許文献】
【０００５】
【特許文献１】中国特許出願公開第１０８７９９１３５号明細書
【発明の概要】
【発明が解決しようとする課題】
【０００６】
本発明は、上記の技術的課題を解決するために、美観性の優れるポンプヘッドを提供する。
【課題を解決するための手段】
【０００７】
上記の目的を実現するために、本発明のポンプヘッドは、本体を含み、前記本体の頂部と左側には、それぞれ排水端と進水端とを有し、前記進水端と前記排水端とは、いずれも環状をなし、且つ前記本体の内部に形成される羽根車空間によって連通され、前記本体の後側には、前記羽根車空間と正対する取付口が設けられ、前記進水端には、濾過筒が外装され、前記濾過筒は、左端が密封して設けられ、右端が開口して設けられ、前記濾過筒の壁には、貫通するように濾過孔が緊密に分布し、前記濾過筒における右端の外側壁には、環状つばが一体成形され、前記本体の外壁には、前記環状つばと正対する環状溝が形成され、前記環状つばは、前記環状溝の内部に位置し、前記環状溝の下壁と前記環状つばとの間には、環状ガスケットが挟持固定され、前記環状ガスケットの右端面には、少なくとも二つの第一ねじ穴が形成され、前記第一ねじ穴は、前記濾過筒の円周方向に沿って等間隔に分布し、各前記第一ねじ穴は、止まり穴であり、前記環状溝の下壁には、貫通するように第二ねじ穴が形成され、前記環状ガスケットには、貫穴が形成され、前記第一ねじ穴と、前記第二ねじ穴と貫穴とは、同一数を有し、三者の位置がそれぞれ正対して配置され、各前記第二ねじ穴の内部には、いずれもスタッドボルトが螺合され、前記スタッドボルトの一端は、順次に前記第二ねじ穴と前記貫穴とを通り抜けて各前記第一ねじ穴の内部に螺合される。
【０００８】
使用時に、外部の水は、前記濾過筒にある前記濾過孔に濾過された後に前記本体に入り、最後に前記排水端から排出される。
【０００９】
前記濾過筒にある前記環状つばは、前記スタッドボルトと、前記第一ねじ穴と、前記第二ねじ穴と前記貫穴との係合によって、前記本体と固定して接続され、前記第一ねじ穴は、止まり穴であり、これによって実際の加工において、前記濾過筒と前記本体との接続部が前記環状つばと前記本体との間に隠れ、ポンプ全体の美観性を保証する。
【００１０】
前記ポンプヘッドにおいて、前記環状ガスケットの両端面は、それぞれ前記環状溝の下壁と前記環状つばの右端面と密着する平面である。上記構造を採用することで、前記環状つばと前記本体との間に信頼できる密封が形成される。
【００１１】
前記ポンプヘッドにおいて、前記濾過筒の内側壁には、環状突起肩が一体成形され、前記環状突起肩と前記濾過筒とは、同じ軸線を有し、前記環状突起肩は、前記進水端の左端面に圧着される。前記環状突起肩は、前記濾過筒の取付場所を規制するために使用され、前記濾過筒を一回限りで所定の場所に取り付けられる。
【００１２】
前記ポンプヘッドにおいて、前記進水端の外側壁は、第一錐面であり、前記濾過筒の内側壁には、前記第一錐面と対応する第二錐面を有し、前記第一錐面と前記第二錐面とは、密着して設けられ、これによって、前記進水端と前記濾過筒との間の密封効果を強化する。
【発明の効果】
【００１３】
本発明は、従来技術に比べ、具体的には以下の改良及び利点を有する。
【００１４】
濾過筒にある環状つばは、スタッドボルトと、第一ねじ穴と、第二ねじ穴と貫穴との係合によって本体と固定して接続され、第一ねじ穴は止まり穴であるため、実際加工において、濾過筒と本体との接続部が環状つばと本体との間に隠れ、ポンプ全体の美観性を保証する。
【００１５】
環状ガスケットと、第一錐面と第二錐面との係合によって、濾過筒と本体との接続の密封経路を伸ばすことで、濾過筒と本体の密封効果を強め、水が完全に濾過孔を通って進水端に入ることを確保し、仕事安定性を向上させる。
【図面の簡単な説明】
【００１６】
本願に記載の各方向が、図１と同じ向きに装置を見た際の方向である。
【００１７】
【図１】ポンプヘッドの構造図である。
【図２】ポンプヘッドの本体の構造図である。
【図３】ポンプヘッドの濾過筒の構造図である。
【発明を実施するための形態】
【００１８】
以下、図１〜図３を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００１９】
図１に示すように、本発明のポンプヘッドは、本体１を含み、本体１の頂部と左側には、それぞれ排水端１ａと進水端１ｂとを有し、進水端１ｂと排水端１ａとは、いずれも環状をなし、且つ本体１の内部に形成される羽根車空間１ｃによって連通される。本体１の後側には、羽根車空間１ｃと正対する取付口１ｄが設けられ、取り付ける時に、ポンプの羽根車は、取付口１ｄから羽根車空間１ｃの内部に挿入される。
【００２０】
具体的には、進水端１ｂには、濾過筒２が外装され、濾過筒２は、左端が密封して設けられ、右端が開口して設けられ、濾過筒２の壁には、貫通するように濾過孔２ａが緊密に分布する。好ましくは、濾過孔２ａは、濾過筒２の軸方向に沿って貫通して設けられる。図１に示すように、濾過筒２における右端の外側壁には、環状つば２ｂが一体成形され、環状つば２ｂと濾過筒２とは、一体式構造である。本体１の外壁には、環状つば２ｂと正対する環状溝１ｅが形成され、環状つば２ｂは、環状溝１ｅの内部に位置し、環状溝１ｅの下壁と環状つば２ｂとの間には、環状ガスケット３が挟持固定される。本実施例において、環状ガスケット３の両端面は、それぞれ環状溝１ｅの下壁と環状つば２ｂの右端面と密着する平面であるため、環状つば２ｂと本体１との間に、信頼できる密封が形成される。
【００２１】
図１，図２，図３に示すように、環状ガスケット２ｂの右端面には、少なくとも二つの第一ねじ穴２ｃが形成され、第一ねじ穴２ｃは、濾過筒２の円周方向に沿って等間隔に分布し、各第一ねじ穴２ｃは、止まり穴である。ねじ穴は二つあることが好適である。環状溝１ｅの下壁には、貫通するように第二ねじ穴１ｆが形成され、環状ガスケット３には、貫穴が形成され、第一ねじ穴２ｃと、第二ねじ穴１ｆと貫穴とは、同一数を有し、三者の位置がそれぞれ正対して配置され、各第二ねじ穴１ｆの内部には、いずれもスタッドボルト４が螺合され、スタッドボルト４の一端は、順次に第二ねじ穴１ｆと貫穴とを通り抜けて各第一ねじ穴２ｃの内部に螺合される。更に、濾過筒２の内側壁には、環状突起肩２ｄが一体成形され、環状突起肩２ｄと濾過筒２とは、同じ軸線を有し、環状突起肩２ｄは、進水端１ｂの左端面に圧着され、これによって、濾過筒２の取付場所を規制し、一回限りで濾過筒を所定の場所に取り付けられる。
【００２２】
図２，図３に示すように、進水端１ｂの外側壁は、第一錐面１ｂ１であり、濾過筒２の内側壁には、第一錐面１ｂ１と対応する第二錐面２ｅを有し、第一錐面１ｂ１と第二錐面２ｅとは、密着して設けられ、これによって進水端１ｂと濾過筒２との間の密封効果を強化する。
【００２３】
使用時に、外部の水は、濾過筒２にある濾過孔２ａに濾過された後に本体１に入り、最後に排水端１ａから排出される。濾過筒２にある環状つば２ｂは、スタッドボルト４と、第一ねじ穴２ｃと、第二ねじ穴１ｆと貫穴との係合によって本体１と固定して接続され、第一ねじ穴２ｃは、止まり穴であるため、実際加工において、濾過筒２と本体１の接続部を、環状つば２ｂと本体１との間に隠れることができ、ポンプ全体の美観性を確保する。
【符号の説明】
【００２４】
１  本体
１ａ  排水端
１ｂ  進水端
１ｂ１  第一錐面
１ｃ  羽根車空間
１ｄ  取付口
１ｅ  環状溝
１ｆ  第二ねじ穴
２  濾過筒
２ａ  濾過孔
２ｂ  環状つば
２ｃ  第一ねじ穴
２ｄ  環状突起肩
２ｅ  第二錐面
３  環状ガスケット
４  スタッドボルト
【要約】      （修正有）【課題】美観性の優れるポンプヘッドを提供する。【解決手段】ポンプヘッドは、本体１を含み、本体の頂部と左側には、それぞれ排水端１ａと進水端１ｂとを有し、進水端には、濾過筒２が外装され、濾過筒は、左端が密封して設けられ、右端が開口して設けられ、濾過筒の壁には、貫通するように濾過孔２ａが緊密に分布し、濾過筒における右端の外側壁には、環状つば２ｂが一体成形され、本体の外壁には、環状つばと正対する環状溝が形成され、環状つばは、環状溝の内部に位置し、環状溝の下壁と環状つばとの間には、環状ガスケット３が挟持固定され、環状ガスケットの右端面には、少なくとも二つの第一ねじ穴が形成され、第一ねじ穴は、濾過筒の円周方向に沿って等間隔に分布する。【選択図】図１【図１】
0006827624.tif 000002
【図２】
0006827624.tif 000003
【図３】
0006827624.tif 000004